(57)【特許請求の範囲】
【請求項１】
携帯端末の画像表示部の３Ｄ画像を立体視するための３Ｄビューワであって、
２つのレンズと、前面板、天面板、背面板、２つの前記レンズを通したそれぞれの視線を仕切るための仕切り板が連設されて形成された１枚のブランクとから組み立てられ、
前記前面板は折部を介して、第１領域と、第２領域、第３領域からなり、それぞれの領域間の前記折部で折って重ね合わされ、それぞれの前記領域には、２つの前記レンズに対応する位置に貫通孔が設けられ、
前記第１領域は、折部を介して前記天面板に連設され、前記天面板には前記仕切り板が折り部を介して連設されており、
該前面板の第１領域は天面板に折部を介して連接されており、かつ該前面板は、第１領域と、第２領域、第３領域のそれぞれの間の折部を介して連設され、折部を折って、第３領域が間に挟まれるように重ねあわされており、
該前面板の第１領域の端部に仕切り板を固定する仕切り板固定部が設けられていることを特徴とする３Ｄビューワ。
【請求項２】
前記仕切り板固定部が係止孔を有し、前記仕切り板が係止突起を有し、該係止孔と該係止突起を係止することで仕切り板と前面板を固定するとともに、前面板の折り重ねられた第１領域と、第２領域、第３領域とを開かないように押さえることを特徴とする請求項１に記載の３Ｄビューワ。
【請求項３】
２つの前記レンズが、前記第３領域に設けられた前記貫通孔に収納され、前記第１領域と前記第２領域で前後から係止されていることを特徴とする請求項１または２に記載の３Ｄビューワ。
【請求項４】
２つの前記レンズが、前記第２領域に設けられた前記貫通孔に収納され、前記第１領域と前記第３領域で前後から係止されていることを特徴とする請求項１または２に記載の３Ｄビューワ。
【請求項５】
前記背面板が、前記仕切り板に折部を介して連設され、該折部を折った前記背面板と前記仕切り板の間に、前記携帯端末の収納部が設けられていることを特徴とする請求項１から４のいずれか１項に記載の３Ｄビューワ。
【請求項６】
前記背面板が、前記天面板に折部を介して連設され、前記仕切り板と前記背面板の間に前記携帯端末の収納部が設けられていることを特徴とする請求項１から４のいずれか１項に記載の３Ｄビューワ。
【請求項７】
２つの前記レンズが、１枚のレンズシートに形成されていることを特徴とする請求項１から６のいずれか１項に記載の３Ｄビューワ。
【発明の詳細な説明】
【技術分野】
【０００１】
本発明は、３Ｄビューワに関するものである。特に、スマートフォンなどの携帯端末用の３Ｄビューワに関するものである。
【背景技術】
【０００２】
人間が物を立体として認識するのは、その物を左右の目で、角度を変えて見ているからであり、このように、人間の両眼の視差と同じ角度になるように、一つの物を見る角度を変えて表した少なくとも２つの画像を、左右の目にそれぞれ振り分けて提示すれば、両眼の画像が脳内で同時に知覚・合成されるため、立体的な感覚を得ることができる。
【０００３】
そして、このような画像を立体視するためのビュアーが提案されている（例えば、特許文献１、特許文献２）。しかし、これらはネジ止めしたりできるような材料で作られ、ある程度以上の硬質性が必要であり、サービス品などの安価で提供する用途には向いていない。
【０００４】
一方、レンズの他には、紙やプラスチックのシートで形成でき、安価に提供可能なビュアーがある。例えば、画像表示装置を載置する台座部を有して、机などの台上に置いて、手で持つことなく、観察姿勢を安定させて見ることのできる映像観察装置もある（特許文献３）。この映像観察装置においては、簡易に組み立てることができるが、仕切り板を別部材としたりして、複数の部材がレンズ以外に必要である。
【０００５】
公知文献を以下に示す。
【先行技術文献】
【特許文献】
【０００６】
【特許文献１】特開２０１１−１５４１４４号公報
【特許文献２】特開２０１３−１９０４５０号公報
【特許文献３】実用新案登録第３１８５４５８号公報
【発明の概要】
【発明が解決しようとする課題】
【０００７】
本発明は上記のような事情に鑑みてなされたもので、携帯端末の画像表示部の３Ｄ画像を立体視するための３Ｄビューワであって、１枚のシート状部材と２つのレンズから組み立てられ、簡便で安価な３Ｄビューワを提供することを課題としている。
【課題を解決するための手段】
【０００８】
本発明は係る課題に鑑みなされたものであり、請求項１の発明は、携帯端末の画像表示部の３Ｄ画像を立体視するための３Ｄビューワであって、２つのレンズと、前面板、天面板、背面板、２つの前記レンズを通したそれぞれの視線を仕切るための仕切り板が連設されて形成された１枚のブランクとから組み立てられ、前記前面板は折部を介して、第１領域と、第２領域、第３領域からなり、それぞれの領域間の前記折部で折って重ね合わされ、それぞれの前記領域には、２つの前記レンズに対応する位置に貫通孔が設けられ、前記第１領域は、折部を介して前記天面板に連設され、前記天面板には前記仕切り板が折り部を介して連設されており、該前面板の第１領域は天面板に折部を介して連接されており、かつ該前面板は、第１領域と、第２領域、第３領域のそれぞれの間の折部を介して連設され、折部を折って、第３領域が間に挟まれるように重ねあわされており、該前面板の第１領域の端部に仕切り板を固定する仕切り板固定部が設けられていることを特徴とする３Ｄビューワである。
【０００９】
本発明の請求項２の発明は、前記仕切り板固定部が係止孔を有し、前記仕切り板が係止突起を有し、該係止孔と該係止突起を係止することで仕切り板と前面板を固定するとともに、前面板の折り重ねられた第１領域と、第２領域、第３領域とを開かないように押さえることを特徴とする請求項１に記載の３Ｄビューワである。
【００１０】
本発明の請求項３の発明は、２つの前記レンズが、前記第３領域に設けられた前記貫通孔に収納され、前記第１領域と前記第２領域で前後から係止されていることを特徴とする請求項１または２に記載の３Ｄビューワである。
【００１１】
本発明の請求項４の発明は、２つの前記レンズが、前記第２領域に設けられた前記貫通孔に収納され、前記第１領域と前記第３領域で前後から係止されていることを特徴とする請求項１または２に記載の３Ｄビューワである。
【００１２】
本発明の請求項５の発明は、前記背面板が、前記仕切り板に折部を介して連設され、該折部を折った前記背面板と前記仕切り板の間に、前記携帯端末の収納部が設けられていることを特徴とする請求項１から４のいずれか１項に記載の３Ｄビューワである。
【００１３】
本発明の請求項６の発明は、前記背面板が、前記天面板に折部を介して連設され、前記仕切り板と前記背面板の間に前記携帯端末の収納部が設けられていることを特徴とする請求項１から４のいずれか１項に記載の３Ｄビューワである。
【００１４】
本発明の請求項７の発明は、２つの前記レンズが、1枚のレンズシートに形成されていることを特徴とする請求項１から６のいずれか１項に記載の３Ｄビューワである。
【発明の効果】
【００１５】
本発明の３Ｄビューワは、携帯端末の画像表示部の３Ｄ画像を立体視するための３Ｄビューワであって、１枚のシート状部材であるブランクと２つのレンズから組み立てられ、簡便でかつ安価に作ることができる。
【図面の簡単な説明】
【００１６】
【図１】本発明の３Ｄビューワの第１の実施形態を模式的に斜視で示した説明図である。
【図２】本発明の３Ｄビューワの第１の実施形態を模式的に左側面で示した説明図である。
【図３】本発明の３Ｄビューワの第１の実施形態のブランクを模式的に示した説明図である。
【図４】本発明の３Ｄビューワの第１の実施形態の組み立てる段階を模式的に背面側から示した説明図である。
【図５】本発明の３Ｄビューワの第１の実施形態で２つのレンズを前面板に保持させた状態を模式的に断面で示した説明図である。
【図６】本発明の３Ｄビューワの第１の実施形態の組み立てる段階を模式的に背面側から天地を逆にして示した説明図である。
【図７】図６の組み立てる段階の本発明の３Ｄビューワの第１の実施形態を底面側から示した説明図である。
【図８】本発明の３Ｄビューワの第１の実施形態の組み立てた状態を模式的に背面側から天地を逆にして示した説明図である。
【図９】図８の組み立てた状態の本発明の３Ｄビューワの第１の実施形態を底面側から示した説明図である。
【図１０】本発明の３Ｄビューワの第２の実施形態を模式的に斜視で示した説明図である。
【図１１】本発明の３Ｄビューワの第２の実施形態を模式的に左側面で示した説明図である。
【図１２】本発明の３Ｄビューワの第２の実施形態のブランクを模式的に示した説明図である。
【図１３】本発明の３Ｄビューワの第２の実施形態の組み立てる段階を模式的に背面側から示した説明図である。
【図１４】本発明の３Ｄビューワの第２の実施形態で２つのレンズを前面板に保持させた状態を模式的に断面で示した説明図である。
【図１５】本発明の３Ｄビューワの第２の実施形態の組み立てる段階を模式的に背面側から示した説明図である。
【図１６】図１５の組み立てる段階の本発明の３Ｄビューワの第２の実施形態を底面側から示した説明図である。
【図１７】本発明の３Ｄビューワの第３の実施形態を模式的に斜視で示した説明図である。
【図１８】本発明の３Ｄビューワの第３の実施形態を模式的に左側面で示した説明図である。
【図１９】本発明の３Ｄビューワの第３の実施形態のブランクを模式的に示した説明図である。
【図２０】本発明の３Ｄビューワの第３の実施形態の組み立てる段階を模式的に背面側から示した説明図である。
【図２１】本発明の３Ｄビューワの第３の実施形態に用いるレンズシートを模式的に示した説明図である。（ａ）正面図、（ｂ）平面図である。
【図２２】本発明の３Ｄビューワの第３の実施形態の組み立てる段階を模式的に背面側から示した説明図である。
【図２３】本発明の３Ｄビューワの第３の実施形態でレンズシートを前面板に保持させた状態を模式的に断面で示した説明図である。
【図２４】本発明の３Ｄビューワの第３の実施形態の組み立てる段階を模式的に背面側から示した説明図である。
【図２５】図２４の組み立てる段階の本発明の３Ｄビューワの第３の実施形態を底面側から示した説明図である。
【発明を実施するための形態】
【００１７】
＜第１の実施形態＞
以下、本発明を実施するための第１の実施形態につき説明する。
図１は、本発明の３Ｄビューワの第１の実施形態を模式的に斜視で示した説明図である。図２は、本発明の３Ｄビューワの第１の実施形態を模式的に左側面で示した説明図である。
【００１８】
第１の実施形態の３Ｄビューワ１００は、図１、図２のように、前面板１、天面板２、背面板３、仕切り板４からなり、前面板１は、第１領域１１と、第２領域１２、第３領域１３からなっていて、それぞれの間は２本の折罫からなる折部を介して連設され、折部を折って、第３領域１３が間に挟まれるように重ねあわされている。それぞれの領域には、レンズ５、５に対応する位置に、貫通孔５１、５１、５２、５２、５３、５３が設けられている。
【００１９】
２つのレンズ５、５は、第３領域１３の貫通孔５３、５３に収納され、貫通孔５１、５１の外側の部分の第１領域１１と、貫通孔５２、５２の外側の部分の第２領域１２前後から押さえられ係止されている。
【００２０】
前面板１の第１領域１１は、天面板２に折部を介して連設されていて、略直角に折り曲げられている。また、天面板２には、第１領域１１の折部と略直角の方向の折部を介して仕切り板４が連設されている。そして、仕切り板４に、背面板３が天面板２との折部と略直角の方向の折部を介して連設され、折り曲げられて、背面板３は前面板１と平行になっ
ている。
【００２１】
そして、背面板３は間の折部より仕切り板４側に入り込んだ切り込みによって、仕切り板４側に伸びていて、折り曲げたときに、仕切り板４と背面板３の間に隙間が出来ている部分があり、この隙間が携帯端末の収納部６になり、携帯端末は背面板３に接して平行に収納することができる。
【００２２】
また、前面板１の第１領域１１の下端には、仕切り板固定部７が設けられ、仕切り板固定部７に設けられた仕切り板係止孔７１で、仕切り板４の下端に設けられた仕切り板係止突起４１を係止することによって、仕切り板４と前面板１を固定するとともに、前面板１の折り重ねられた第１領域１１と、第２領域１２、第３領域１３を開かないように押さえている。
【００２３】
また、背面板３の上部に天面板係止孔３１が設けられ、天面板２の後端に突き出した天面板係止突起２１を天面板係止孔３１で係止して、天面板２と背面板３の上部を固定している。また、背面板３の下部は、天面板２に接続した仕切り板４に折部を介して接続しているのでこれらの係止によって、３Ｄビューワ１００は、しっかりと組み立てられている。また、仕切り板４は、このような配置になっているので、２つのレンズ５、５を通したそれぞれの視線を仕切るようになっている。
【００２４】
以下、本実施携帯の３Ｄビューワの組み立て方について説明する。
図３は、本発明の３Ｄビューワの第１の実施形態のブランクを模式的に示した説明図である。
図４は、本発明の３Ｄビューワの第１の実施形態の組み立てる段階を模式的に背面側から示した説明図である。
図５は、本発明の３Ｄビューワの第１の実施形態で２つのレンズを前面板に保持させた状態を模式的に断面で示した説明図である。
図６は、本発明の３Ｄビューワの第１の実施形態の組み立てる段階を模式的に背面側から天地を逆にして示した説明図である。
図７は、図６の組み立てる段階の本発明の３Ｄビューワの第１の実施形態を底面側から示した説明図である。
図８は、本発明の３Ｄビューワの第１の実施形態の組み立てた状態を模式的に背面側から天地を逆にして示した説明図である。
図９は、図８の組み立てた状態の本発明の３Ｄビューワの第１の実施形態を底面側から示した説明図である。
【００２５】
本実施形態の３Ｄビューワ１００は、その本体部分が厚紙からなっている。また、プラスチックシートなどからなっていてもよい。そして、本体部分に２つのレンズを取り付けて、組み立てられて形成されている。
【００２６】
本体部分のブランクを図３に示す（図３は内面側から見た図である）。折部の折罫を一点鎖線で示す。折罫は押罫や、断続した切れ目、あるいは、押罫と断続した切れ目を組み合わせて設ける。
【００２７】
図３のように、３Ｄビューワ１００のブランク１９９は、上から、前面板１の第３領域１３、第２領域１２、第１領域１１が２本の折罫からなる折部をそれぞれ介して連設されている。
【００２８】
前面板１の第１領域１１には２つ貫通孔５１、５１が設けられ、第２領域１２には２つ貫通孔５２、５２が設けられ、第３領域１３には貫通孔５３、５３が設けられている。貫
通孔５１、５１、５２、５２、５３、５３は、レンズに対応する位置に設けられている。
【００２９】
前面板１の第１領域１１の上端の左右中央部から、上に凸の切れ目が、第２領域１２に入り込んで設けられ、仕切り板固定部７となっている。また、仕切り板固定部７には仕切り板係止孔７１が設けられている。
【００３０】
前面板１の第１領域１１の下端の右側には天面板２が折罫からなる折部を介して設けられ、天面板２の左側には仕切り板４が折罫を介して設けられている。更に仕切り板４の下端の左側には、背面板３が折罫を介して下に連設されている。
【００３１】
仕切り板４の左端の上部には、仕切り板係止突起４１が左に飛び出している。この仕切り板係止突起４１を前述の仕切り板係止孔７１に差し込んで仕切り板４を前面板１に固定するようになっている。
【００３２】
天面板２の下端には天面板係止突起２１が設けられている。そして、背面板３の右寄りには天面板係止孔３１が設けられていて、天面板２と仕切り板４の間の折部で折り、仕切り板４と背面板３の間の折部で折って、天面板係止突起２１を天面板係止孔３１に入れて、天面板２と背面板３を固定できるようにしている。
【００３３】
このブランク１９９と２つのレンズ５、５から３Ｄビューワ１００を組み立てるには、前面板１の第３領域１３を間の折部で折って、第２領域１２に重ね、貫通孔５３、５３にレンズ５、５をそれぞれ収納させる。
【００３４】
そしてその状態で、図４の背面図のように、第１領域１１を第３領域１３に重なるように折る。これによりレンズ５、５は、貫通孔５３、５３に収納された状態で、レンズ５、５より直径の短い貫通孔５１、５１の外側の部分の第１領域１１と、レンズ５、５より直径の短い貫通孔５２、５２の外側の部分で押さえられ、図５の断面図のように固定される。
【００３５】
次に、図６の背面図のように、天面板２を前面板１と略直角になるように折り、続いて、仕切り板４を天面板２と略直角になるように折る。そして、仕切り板固定部７を倒して、仕切り板４の仕切り板係止突起４１を仕切り板固定部７の仕切り板係止孔７１に嵌め込み、図７の底面図のように、前面板１と仕切り板４を固定すると共に、重ね合わせた第１領域１１と、第２領域１２、第３領域１３が開かないように固定する。
【００３６】
次に、背面板３と仕切り板４の間の折部を折って、背面板３の天面板係止孔３１に天面板２の天面板係止突起２１を嵌め込んで係止して、図８の天地を逆にした背面図、図９の底面図のように、背面板３と天面板２を固定する。
【００３７】
これにより、３Ｄビューワ１００が組み立てられ、これの斜視図が図１で、左側面図が図２である。
【００３８】
以上のように本実施形態の３Ｄビューワ１００は、１枚のシートから抜き出した１枚のブランクと２つのレンズから、接着などをしないで、係止孔に係止突起を差し込んで係止するなどによって組み立てられ、簡便で安価に作ることができる。
【００３９】
また、サービス品として、消費者などに提供する場合は、ブランクを抜き出さず、元の１枚のシートの余白部分を残して、ブランクの外形線などを完全に切断せず、切断可能な繋ぎ部を設けて提供し、使用する際に、繋ぎ部を切って、ブランクを抜き出し、組み立てて使用してもらうこともできる。
【００４０】
＜第２の実施形態＞
以下本発明を実施するための第２の実施形態につき説明する。
図１０は、本発明の３Ｄビューワの第２の実施形態を模式的に斜視で示した説明図である。
図１１は、本発明の３Ｄビューワの第２の実施形態を模式的に左側面で示した説明図である。
【００４１】
第２の実施形態の３Ｄビューワ２００は、図１０、図１１のように、前面板２０１、天面板２０２、背面板２０３、仕切り板２０４からなり、前面板２０１は、第１領域２１１と、第２領域２１２、第３領域２１３からなっていて、それぞれの間は２本の折罫からなる折部を介して連設され、折部を折って、第３領域２１３が間に挟まれるように重ね合わされている。
【００４２】
それぞれの領域には、レンズ２０５、２０５に対応する位置に、貫通孔２５１、２５１、２５２、２５２、２５３、２５３が設けられている。
【００４３】
２つのレンズ２０５、２０５は、第３領域２１３の貫通孔２５３、２５３に収納され、貫通孔２５１、２５１の外側の部分の第１領域２１１と、貫通孔２５２、２５２の外側の部分の第２領域２１２で前後から押さえられ係止されている。
【００４４】
前面板２０１の第１領域２１１は、天面板２０２に折罫からなる折部を介して連設されていて、略直角に折り曲げられている。また、天面板２０２には、第１領域２１１の折部と略直角の方向の折部を介して仕切り板２０４が連設されている。
【００４５】
更に、天面板２０２には、背面板２０３が前面板２０１との折部と略平行な折部を介して連設され、折り曲げられて、背面板２０３は前面板２０１と平行になっている。
【００４６】
そして、背面板２０３と仕切り板２０４の間に隙間が出来ている部分があり、この隙間が携帯端末の収納部２０６になり、携帯端末は背面板２０３に接して平行に収納することができる。
【００４７】
また、前面板２０１の第１領域２１１の下端には、仕切り板固定部２０７が設けられ、仕切り板固定部２０７に設けられた仕切り板係止孔２７１で、仕切り板２０４の下端に設けられた仕切り板係止突起２４１を係止することによって、仕切り板２０４と前面板２０１を固定するとともに、前面板２０１の折り重ねられた第１領域２１１と、第２領域２１２、第３領域２１３を開かないように押さえている。これによって、３Ｄビューワ２００は、しっかりと組み立てられている。また、仕切り板２０４は、このような配置になっているので、２つのレンズ２０５、２０５を通したそれぞれの視線を仕切るようになっている。
【００４８】
以下、本実施携帯の３Ｄビューワの組み立て方について説明する。
図１２は、本発明の３Ｄビューワの第２の実施形態のブランクを模式的に示した説明図である。
図１３は、本発明の３Ｄビューワの第２の実施形態の組み立てる段階を模式的に背面側から示した説明図である。
図１４は、本発明の３Ｄビューワの第２の実施形態で２つのレンズを前面板に保持させた状態を模式的に断面で示した説明図である。
図１５は、本発明の３Ｄビューワの第２の実施形態の組み立てる段階を模式的に背面側から示した説明図である。
図１６は、図１５の組み立てる段階の本発明の３Ｄビューワの第２の実施形態を底面側から示した説明図である。
【００４９】
本実施形態の３Ｄビューワ２００は、その本体部分が厚紙からなっている。また、プラスチックシートなどからなっていてもよい。そして、本体部分に２つのレンズを取り付けて、組み立てられて形成されている。
【００５０】
本体部分のブランクを図１２に示す（図１２は内面側から見た図である）。折部の折罫を一点鎖線で示す。折罫は押罫や、断続した切れ目、あるいは、押罫と断続した切れ目を組み合わせて設ける。
【００５１】
図１２のように、３Ｄビューワ２００のブランク２９９は、上から、前面板１の第３領域２１３、第２領域２１２、第１領域２１１が２本の折罫からなる折部をそれぞれ介して連設されている。
【００５２】
前面板２０１の第１領域２１１には２つ貫通孔２５１、２５１が設けられ、第２領域２１２には２つ貫通孔２５２、２５２が設けられ、第３領域２１３には貫通孔２５３、２５３が設けられている。貫通孔２５１、２５１、２５２、２５２、２５３、２５３は、レンズに対応する位置に設けられている。
【００５３】
前面板２０１の第１領域２１１の上端の左右中央部から、上に凸の切れ目が、第２領域２１２に入り込んで設けられ、仕切り板固定部２０７となっている。また、仕切り板固定部２０７には仕切り板係止孔２７１が設けられている。
【００５４】
前面板２０１の第１領域２１１の下端の右側には天面板２０２が折罫からなる折部を介して設けられ、天面板２０２の左側には仕切り板２０４が折罫を介して設けられている。更に天面板２０２の下端には、背面板２０３が折罫を介して下に連設されている。
【００５５】
仕切り板２０４の左端の上部には、仕切り板係止突起２４１が左に飛び出している。この仕切り板係止突起２４１を前述の仕切り板係止孔２７１に差し込んで仕切り板２０４を前面板２０１に固定するようになっている。
【００５６】
このブランク２９９と２つのレンズ２０５、２０５から３Ｄビューワ２００を組み立てるには、前面板２０１の第３領域２１３を間の折部で折って、第２領域２１２に重ね、第３領域２１３の貫通孔２５３、２５３にレンズ２０５、２０５をそれぞれ収納させる。
【００５７】
そしてその状態で、図１３の背面図のように、第１領域２１１が第３領域２１３に重なるように折る。これによりレンズ２０５、２０５は、貫通孔２５３、２５３に収納された状態で、レンズ２０５、２０５より直径の短い貫通孔２５１、２５１の外側の部分の第１領域２１１と、レンズ２０５、２０５より直径の短い貫通孔２５２、２５２の外側の部分の第２領域２１２で押さえられ、図１４の断面図のように固定される。
【００５８】
次に、図１５の背面図、図１６の底面図のように、天面板２０２を前面板２０１と略直角になるように折り、続いて、仕切り板２０４を天面板２０２と略直角になるように折る。そして、仕切り板固定部２０７を倒して、仕切り板２０４の仕切り板係止突起２４１を仕切り板固定部２０７の仕切り板係止孔２７１に嵌め込み、前面板２０１と仕切り板２０４を固定すると共に、重ね合わせた第１領域２１１と、第２領域２１２、第３領域２１３が開かないように固定する。
【００５９】
次に、背面板２０３と天面板２０２の間の折部を略直角になるように折る。このとき、
仕切り板２０４と背面板２０３の間に隙間ができるように形成されていて、この隙間が携帯端末の収納部２０６になる。これにより、図１０の斜視図、図１１の左側面図のように、３Ｄビューワ２００が組み立てられる。
【００６０】
以上のように本実施形態の３Ｄビューワ２００は、１枚のシートから抜き出した１枚のブランクと２つのレンズから、接着などをしないで、係止孔に係止突起を差し込んで係止するなどによって組み立てられ、簡便で安価に作ることができる。
【００６１】
また、サービス品として、消費者などに提供する場合は、ブランクを抜き出さず、元の１枚のシートの余白部分を残して、ブランクの外形線などを完全に切断せず、切断可能な繋ぎ部を設けて提供し、使用する際に、繋ぎ部を切って、ブランクを抜き出し、組み立てて使用してもらうこともできる。
【００６２】
＜第３の実施形態＞
以下本発明を実施するための第３の実施形態につき説明する。
図１７は、本発明の３Ｄビューワの第３の実施形態を模式的に斜視で示した説明図である。
図１８は、本発明の３Ｄビューワの第３の実施形態を模式的に左側面で示した説明図である。
【００６３】
第３の実施形態の３Ｄビューワ３００は、外観は第２の実施形態の３Ｄビューワ２００に似ていて、図１７、図１８のように、前面板３０１、天面板３０２、背面板３０３、仕切り板３０４からなり、前面板３０１は、第１領域３１１と、第２領域３１２、第３領域３１３からなっていて、それぞれの間は２本の折罫からなる折部を介して連設されていて、第２の実施形態の３Ｄビューワ２００と異なり、第２領域３１２が、第１領域３１１と第３領域３１３の間に挟まれるように重ね合わされている。
【００６４】
本実施形態では、第２の実施形態の３Ｄビューワ２００が２つのレンズを用いているのに対し、２つのレンズ３０５、３０５が設けられた１枚のレンズシート３１５を用いている。前面板３０１の第１領域３１１と第３領域３１３には、レンズ３０５、３０５に対応する位置に、貫通孔３５１、３５１と貫通孔３５３、３５３が設けられ、第２領域３１２には、レンズシート３１５が収まるように、１つの貫通孔３５２が設けられている。
【００６５】
２つのレンズ３０５、３０５が設けられたレンズシート３１５は、第２領域３１２の貫通孔３５２に収納され、第１領域３１１と第３領域３１３で前後から押さえられ係止されている。
【００６６】
前面板３０１の第１領域３１１は、天面板３０２に折罫からなる折部を介して連設されていて、略直角に折り曲げられている。また、天面板３０２には、第１領域３１１の折部と略直角の方向の折部を介して仕切り板３０４が連設されている。
【００６７】
更に、天面板３０２には、背面板３０３が前面板３０１との折部と略平行な折部を介して連設され、折り曲げられて、背面板３０３は前面板３０１と平行になっている。
【００６８】
そして、背面板３０３と仕切り板３０４の間に隙間が出来ている部分があり、この隙間が携帯端末の収納部３０６になり、携帯端末は背面板３０３に接して平行に収納することができる。
【００６９】
また、前面板３０１の第１領域３１１の下端には、仕切り板固定部３０７が設けられ、仕切り板固定部３０７に設けられた仕切り板係止孔３７１で、仕切り板３０４の下端に設
けられた仕切り板係止突起３４１を係止することによって、仕切り板３０４と前面板３０１を固定するとともに、前面板３０１の折り重ねられた第１領域３１１と、第２領域３１２、第３領域３１３を開かないように押さえている。これによって、３Ｄビューワ３００は、しっかりと組み立てられている。また、仕切り板３０４は、このような配置になっているので、２つのレンズ３０５、３０５を通したそれぞれの視線を仕切るようになっている。
【００７０】
以下、本実施携帯の３Ｄビューワの組み立て方について説明する。
図１９は、本発明の３Ｄビューワの第３の実施形態のブランクを模式的に示した説明図である。
図２０は、本発明の３Ｄビューワの第３の実施形態の組み立てる段階を模式的に背面側から示した説明図である。
図２１は、本発明の３Ｄビューワの第３の実施形態に用いるレンズシートを模式的に示した説明図である。（ａ）正面図、（ｂ）平面図である。
図２２は、本発明の３Ｄビューワの第３の実施形態の組み立てる段階を模式的に背面側から示した説明図である。
図２３は、本発明の３Ｄビューワの第３の実施形態でレンズシートを前面板に保持させた状態を模式的に断面で示した説明図である。
図２４は、本発明の３Ｄビューワの第３の実施形態の組み立てる段階を模式的に背面側から示した説明図である。
図２５は、図２４の組み立てる段階の本発明の３Ｄビューワの第３の実施形態を底面側から示した説明図である。
【００７１】
本実施形態の３Ｄビューワ３００は、その本体部分が厚紙からなっている。また、プラスチックシートなどからなっていてもよい。そして、本体部分に２つのレンズを設けたレンズシートを取り付けて、組み立てられて形成されている。
【００７２】
本体部分のブランクを図１９に示す（図１９は内面側から見た図である）。折部の折罫を一点鎖線で示す。折罫は押罫や、断続した切れ目、あるいは、押罫と断続した切れ目を組み合わせて設ける。
【００７３】
図１９のように、３Ｄビューワ３００のブランク３９９は、上から、前面板１の第３領域３１３、第２領域３１２、第１領域３１１が２本の折罫からなる折部をそれぞれ介して連設されている。
【００７４】
前面板３０１の第１領域３１１には２つ貫通孔３５１、３５１が設けられ、第２領域３１２には２つのレンズ３０５、３０５を設けたレンズシートが収まるように貫通孔３５２が設けられ、第３領域３１３には貫通孔３５３、３５３が設けられている。貫通孔２５１、２５１、２５３、２５３は、レンズに対応する位置に設けられている。
【００７５】
前面板３０１の第１領域３１１の上端の左右中央部から、上に凸の切れ目が、第２領域３１２に入り込んで設けられ、仕切り板固定部３０７となっている。また、仕切り板固定部３０７には仕切り板係止孔３７１が設けられている。
【００７６】
前面板３０１の第１領域３１１の下端の右側には天面板３０２が折罫からなる折部を介して設けられ、天面板３０２の左側には仕切り板３０４が折罫を介して設けられている。更に天面板３０２の下端には、背面板３０３が折罫を介して連設されている。
【００７７】
仕切り板３０４の左端の上部には、仕切り板係止突起３４１が左に飛び出している。この仕切り板係止突起３４１を前述の仕切り板係止孔３７１に差し込んで仕切り板３０４を
前面板３０１に固定するようになっている。
【００７８】
このブランク３９９と、２つのレンズ３０５、３０５を設けたレンズシート３１５とから３Ｄビューワ３００を組み立てるには、ブランク３９９の前面板３０１の第１領域３１１と第２領域３１２の間の折部で折って、第１領域３１１に第２領域３１２を、図２０のように重ね合わせる。
【００７９】
図２１の（ａ）正面図、（ｂ）平面図に示すレンズシート３１５は、透明なプラスチックで成型されていて、２つのレンズ３０５、３０５が形成されている。図２０の折ったブランク３９９の第２領域３１２の貫通孔３５２に、レンズ３０５、３０５が第１領域３１１の貫通孔３５１、３５１に位置するように、レンズシート３１５を収納させる。
【００８０】
そしてその状態で、図２２の背面図のように、第２領域３１２と第３領域３１３の間の折部で折り返して、第２領域３１２に第３領域３１３を重ね合わせる。これによりレンズシート３１５は、第２領域３１２の貫通孔３５２に収納された状態で、第１領域３１１と第３領域３１３押さえられ、図２３の断面図のように固定される。
【００８１】
次に、図２４の背面図、図２５の底面図のように、天面板３０２を前面板３０１と略直角になるように折り、続いて仕切り板３０４を天面板３０２と略直角になるように折る。そして、仕切り板固定部３０７を倒して、仕切り板３０４の仕切り板係止突起３４１を仕切り板固定部３０７の仕切り板係止孔３７１に嵌め込み、前面板３０１と仕切り板３０４を固定すると共に、重ね合わせた第１領域３１１と、第２領域３１２、第３領域３１３が開かないように固定する。
【００８２】
次に、背面板３０３と天面板３０２の間の折部を略直角になるように折る。このとき、仕切り板３０４と背面板３０３の間に隙間ができるように形成されていて、この隙間が携帯端末の収納部３０６になる。これにより、図１７の斜視図、図１８の左側面図のように、３Ｄビューワ３００が組み立てられる。
【００８３】
以上のように本実施形態の３Ｄビューワ３００は、１枚のシートから抜き出した１枚のブランク３９９と２つのレンズ３０５、３０５の設けられたレンズシート３１５から、接着などをしないでも、係止孔に係止突起を差し込んで係止するなどによって組み立てられ、簡便で安価に作ることができる。
【００８４】
また、サービス品として、消費者などに提供する場合は、ブランクを抜き出さず、元の１枚のシートの余白部分を残して、ブランクの外形線などを完全に切断せず、切断可能な繋ぎ部を設けて提供し、使用する際に、繋ぎ部を切って、ブランクを抜き出し、組み立てて使用してもらうこともできる。
【００８５】
以上のように、本発明の３Ｄビューワは、１枚のシート状部材のブランクと２つのレンズ、あるいは、２つのレンズが設けられたレンズシートから組み立てられ、簡便でかつ安価に作ることができ、スマホなどの携帯端末の画像表示部の３Ｄ画像を立体視することができる。尚、本発明の３Ｄビューワは、天面板を底面板になるように逆さまにして使用することもできる。
【００８６】
また、本発明の３Ｄビューワは、第１の実施形態の３Ｄビューワのような、背面板が、仕切り板に折部を介して連設され、折部を折った背面板と仕切り板の間に、携帯端末の収納部が設けられた形状をしていて、２つのレンズ、あるいは、２つのレンズが設けられたレンズシートが、第２領域に設けられた貫通孔に収納され、第１領域と第３領域で前後から係止されているようにしてもよい。
【符号の説明】
【００８７】
１００、２００、３００・・・３Ｄビューワ
１９９、２９９、３９９・・・ブランク
１、２０１、３０１・・・前面板
１１、２１１、３１１・・・第１領域
１２、２１２、３１２・・・第２領域
１３、２１３、３１３・・・第３領域
２、２０２、３０２・・・天面板
２１・・・天面板係止突起
３、２０３、３０３・・・背面板
３１・・・天面板係止孔
４、２０４、３０４・・・仕切り板
４１、２４１、３４１・・・仕切り板係止突起
５、２０５、３０５・・・レンズ
５１、５２、５３、２５１、２５２、２５３、３５１、３５２、３５３・・・貫通孔
６、２０６、３０６・・・収納部
７、２０７、３０７・・・仕切り板固定部
７１、２７１、３７１・・・仕切り板係止孔
３１５・・・レンズシート
【図１】
0006319198.tif 000002
【図２】
0006319198.tif 000003
【図３】
0006319198.tif 000004
【図４】
0006319198.tif 000005
【図５】
0006319198.tif 000006
【図６】
0006319198.tif 000007
【図７】
0006319198.tif 000008
【図８】
0006319198.tif 000009
【図９】
0006319198.tif 000010
【図１０】
0006319198.tif 000011
【図１１】
0006319198.tif 000012
【図１２】
0006319198.tif 000013
【図１３】
0006319198.tif 000014
【図１４】
0006319198.tif 000015
【図１５】
0006319198.tif 000016
【図１６】
0006319198.tif 000017
【図１７】
0006319198.tif 000018
【図１８】
0006319198.tif 000019
【図１９】
0006319198.tif 000020
【図２０】
0006319198.tif 000021
【図２１】
0006319198.tif 000022
【図２２】
0006319198.tif 000023
【図２３】
0006319198.tif 000024
【図２４】
0006319198.tif 000025
【図２５】
0006319198.tif 000026